(57)【要約】【課題】  設置が容易で自由度も大きく且つ正確なタイム測定ができ、少人数の練習でも競技大会でも使用可能な安価な無線式滑走タイム計測システムを提供する。【解決手段】  スタート部１０、ゴール部２０、タイム表示部３０で構成され、各部には第１乃至第３の無線機１０Ａ〜３０Ａが設けられる。第１の無線機１０Ａは、スタート信号がマイク端子に入力すると電波で送信する。第２の無線機２０Ａは、ゴール信号がマイク端子に入力すると電波で送信する。タイム表示ユニット３０Ｂは、第３の無線機３０Ａのイヤホン端子からの音信号からスタート信号を識別するとタイマーの作動を開始し、その後第３の無線機３０Ａのイヤホン端子からの音信号からゴール信号を識別するとタイマーの作動を停止させ、その時のタイマー時間をタイム計測時間として表示部に表示出力する。【選択図】図１
2014036820.tif 000002
【特許請求の範囲】
【請求項１】
スタート地点の周辺に設置されるスタート部と、ゴール地点の周辺に設置されるゴール部と、タイム表示地点に設置されるタイム表示部で構成される無線式滑走タイム計測システムにあって、
前記スタート部は、
スターティングゲートの競技者の通過を検出して通過検出信号を出力するスタートセンサと、該スタートセンサからの通過検出信号を受信すると、音信号でスタート信号を生成し出力するスタートユニットと、該スタートユニットからのスタート信号をマイク端子から入力した時に該スタート信号を電波で送信する音声通話可能な第１の無線機とから構成され、
前記ゴール部は、
ゴールの競技者の通過を検出して通過検出信号を出力するゴールセンサと、該ゴールセンサから通過検出信号を受信すると、音信号でゴール信号を生成し出力するゴールユニットと、該ゴールユニットからのゴール信号をマイク端子から入力した時に該ゴール信号を電波で送信する音声通話可能な第２の無線機とから構成され、
前記タイム表示部は、
受信した音信号をイヤホン端子から出力する音声通話可能な第３の無線機と、該第３の無線機からの音信号から前記スタート信号を識別するとタイムの計測を開始し、その後該第３の無線機からの音信号から前記ゴール信号を識別するとタイムの計測を終了し、このタイムの計測の開始から終了までの時間を表示出力するタイム表示ユニットとから構成されることを特徴とする無線式滑走タイム計測システム。
【請求項２】
前記第１乃至第３の無線機は、トランシーバー又は小電力トランシーバーであることを特徴とする請求項１記載の無線式滑走タイム計測システム。
【発明の詳細な説明】
【技術分野】
【０００１】  本発明は、無線式滑走タイム計測システム、特に雪上で行われるスキーやスノーボードの競技に好適な無線式滑走タイム計測システムに関する。
【背景技術】
【０００２】  従来、雪上で行われるスキーやスノーボードの競技で使用される滑走タイム計測システムにあっては、スタート地点に設置されるスターティングゲートの競技者の通過をスタートセンサで検出してタイムの計測を開始し、ゴール地点に設置されるゴールセンサで競技者がゴールしたことを検出してタイムの計測を終了して、タイム表示地点において、所要タイムを算出してタイム表示板に表示させるようにしている。通常、このような滑走タイム計測システムにあっては、スタート地点（スタートセンサ）、ゴール地点（ゴールセンサ）、タイム表示部とは有線で接続されている。このような有線式の場合、機器の設置の際に多大な時間と労力を要するものであり、機器も高価である。したがって、このような計測システムは、殆ど競技大会でしか使用されていないのが実情である。【０００３】  一方、練習の際は、上述したような計測システムは高価であることから使用することは殆どない。一般的には、スタート地点にいる者がトランシーバーを、ゴール地点にいる者がトランシーバーとストップウォッチを携帯し、スタート時に、スタート地点にいる者がトランシーバーを使ってゴール地点にいる者にスタートしたことを伝えることで、ゴール地点にいる者がストップウォッチを操作してタイム計測を開始し、ゴール時にゴール地点にいる者がストップウォッチを操作してタイム計測を終了させてスタートからゴールまでのタイムを計測している。したがって、測定操作に係る作業が煩雑であり、正確なタイムの計測も困難であった。
【発明の概要】
【発明が解決しようとする課題】
【０００４】  本発明は、設置が容易で自由度も大きく且つ正確なタイム測定ができ、少人数の練習でも競技大会でも使用可能な安価な無線式滑走タイム計測システムを提供することを目的とする。
【課題を解決するための手段】
【０００５】  上記目的を達成するため、本発明の無線式滑走タイム計測システムにあっては、
スタート地点の周辺に設置されるスタート部と、ゴール地点の周辺に設置されるゴール部と、タイム表示地点に設置されるタイム表示部で構成され、
スタート部は、スターティングゲートの競技者の通過を検出して通過検出信号を出力するスタートセンサと、スタートセンサからの通過検出信号を受信すると、音信号でスタート信号を生成し出力するスタートユニットと、スタートユニットからのスタート信号をマイク端子から入力した時に、スタート信号を電波で送信する音声通話可能な第１の無線機とから構成され、
ゴール部は、ゴールの競技者の通過を検出して通過検出信号を出力するゴールセンサと、ゴールセンサから通過検出信号を受信すると、音信号でゴール信号を生成し出力するゴールユニットと、ゴールユニットからのゴール信号をマイク端子から入力した時に、ゴール信号を電波で送信する音声通話可能な第２の無線機とから構成され、
タイム表示部は、受信した音信号をイヤホン端子から出力する音声通話可能な第３の無線機と、第３の無線機からの音信号からスタート信号を識別するとタイムの計測を開始し、その後該第３の無線機からの音信号からゴール信号を識別するとタイムの計測を終了し、このタイムの計測の開始から終了までの時間を表示出力するタイム表示ユニットとから構成されことを特徴とする。【０００６】  第１乃至第３の無線機は、トランシーバー又は小電力トランシーバーであることを特徴とする。
【発明の効果】
【０００７】  本発明によれば、無線機を使用した無線式とすることで設置が容易で且つ設置の自由度も大きく、また機械的に自動でタイムの計測を行うため正確なタイムの測定ができる。また、無線機として、市販品のトランシーバーを使用することが可能であることから、安価に構成できる。トランシーバーとして市販品の小電力トランシーバーを使用することで、免許取得をしなくとも使用可能である。したがって、少人数の練習でも競技大会でも使用可能である。
【図面の簡単な説明】
【０００８】
【図１】  本発明に係るシステムの全体構成図である。
【図２】  本発明に係るスタート部の構成図である。
【図３】  本発明に係るゴール部の構成図である。
【図４】  本発明に係るタイム表示部の構成図である。
【図５】  本発明に係るスタートユニットの動作フローである。
【図６】  本発明に係るゴールユニットの動作フローである。
【図７】  本発明に係るタイム表示ユニットの動作フローである。
【発明を実施するための形態】
【０００９】  以下、図面を参照して実施形態を詳しく説明する。本発明の無線式滑走タイム計測システムは、図１に示すように、スタート地点の周辺に設置されるスタート部１０、ゴール地点の周辺に設置されるゴール部２０、タイム表示地点に設置されるタイム表示部３０で構成される。
【００１０】  スタート部１０は、図２に示すように、第１の無線機１０Ａ、スタートユニット１０Ｂ、スタートセンサ１０Ｃで構成されている。第１の無線機１０Ａのマイク端子とスタートユニット１０Ｂ間、スタートユニット１０Ｂとスタートセンサ１０Ｃ間はそれぞれ信号線接続されている。各信号線は接続自在になっている。
【００１１】  スタートセンサ１０Ｃは、スターティングゲートの競技者の通過を検出して通過検出信号をスタートユニット１０Ｂへ出力する。
【００１２】  スタートユニット１０Ｂは、図示しないＩＤ設定スイッチを備える。スタートユニット１０Ｂは、図５に示す動作フローのようにスタートセンサ１０Ｃからの通過検出信号を受信すると、音信号（電子音）によりスタート信号を生成して、第１の無線機１０Ａのマイク端子へ出力する。スタート信号には、ＩＤ設定スイッチで設定したＩＤコードが含まれる。ＩＤ設定スイッチで設定した番号は、競技者の番号となる。
【００１３】  第１の無線機１０Ａは、音声通話可能なトランシーバー又は小電力トランシーバーで構成される。第１の無線機１０Ａは、スタートユニット１０Ｂから出力される音信号からなるスタート信号を、マイク端子から入力した時に電波で送信する。
【００１４】  ゴール部２０は、図３に示すように、第２の無線機２０Ａ、ゴールユニット２０Ｂ、ゴールセンサ２０Ｃで構成されている。第２の無線機２０Ａのマイク端子とゴールユニット２０Ｂ間、ゴールユニット２０Ｂとゴールセンサ２０Ｃ間はそれぞれ信号線接続されている。各信号線は接続自在になっている。
【００１５】  ゴールセンサ２０Ｃは、例えば赤外線をミラー２０Ｄに対して送光すると共にミラー２０Ｄからの反射光を受光するようにしており、競技者が通過しゴールする際の反射光の遮断を捉えて、通過検出信号をゴールユニット２０Ｂへ出力する。
【００１６】  ゴールユニット２０Ｂは、図６に示す動作フローのようにゴールセンサ２０Ｃからの通過検出信号を受信すると、音信号（電子音）によりゴール信号を生成して、第２の無線機２０Ａのマイク端子へ出力する。
【００１７】  第２の無線機２０Ａは、音声通話可能なトランシーバー又は小電力トランシーバーで構成される。第２の無線機２０Ａは、ゴールユニット２０Ｂから出力される音信号からなるゴール信号を、マイク端子から入力した時に電波で送信する。
【００１８】  タイム表示部３０は、図４に示すように、第３の無線機３０Ａ、タイム表示ユニット３０Ｂで構成されている。第３の無線機３０Ａのイヤホン端子とタイム表示ユニット３０Ｂ間は信号線接続されている。信号線は接続自在になっている。
【００１９】  第３の無線機３０Ａは、音声通話可能なトランシーバー又は小電力トランシーバーで構成される。第３の無線機３０Ａは、第１及び第２の無線機１０Ａ，２０Ａから無線送信されてくる音信号を受信すると、イヤホン端子から音信号をタイム表示ユニット３０Ｂへ出力する。
【００２０】  タイム表示ユニット３０Ｂは、図７に示す動作フローのように第３の無線機３０Ａのイヤホン端子から出力される音信号からスタート信号を識別するとタイマーの作動を開始し、その後第３の無線機３０Ａのイヤホン端子から出力される音信号からゴール信号を識別するとタイマーの作動を停止し、その時のタイマー時間をタイム計測時間として、図示しないを記憶部にＩＤコードと共に記憶し、更にＩＤコードとタイム計測時間を、表示部に表示出力する。記録された時間は、タイム表示ユニット３０Ｂに、図４に示すように表示され、競技者は計測時間を知ることができる。
【００２１】  記憶部としては、電源が切れても記憶データが保持されるＥＥＰＲＯＭなどが使用される。また、記憶部を外部通信接続可能とすることで、記憶された計測時間データを外部にあるパソコンなどに出力して詳しい分析や表示を行うことができる。また、タイマーの代わりに、時計を設けて、スタート信号を受信した時の開始の時間を記憶部に記憶し、ゴール信号を受信した時の終了の時間を記憶部に記憶し、記憶された開始時間から終了時間までの時間を算出してタイム計測時間とするようにしても良い。各ユニット１０Ｂ，２０Ｂ，３０Ｂ、各センサ１０Ｃ，２０Ｃ、第１〜第３の無線機のそれぞれは、電池駆動される。
【００２２】  次に実際のタイムの計測方法について説明する。
【００２３】  本発明の無線式滑走タイム計測システムを使用するに当たっては、図１に示すように、スタート地点の周辺にスタート部１０を構成する各機器１０Ａ，１０Ｂ，１０Ｃを設置し、ゴール地点の周辺にゴール部２０を構成する各機器２０Ａ，２０Ｂ，２０Ｃを設置し、タイム表示地点にタイム表示部３０を構成する各機器３０Ａ，３０Ｂを設置し、各機器の電源をＯＮする。
【００２４】  次にスタートユニット１０ＢのＩＤ設定スイッチを使い、競技者の番号を例えば「２４」を設定する。
【００２５】  ２４番の競技者が、スターティングゲートを通過すると、スタートセンサ１０Ｃはこれを検出して通過検出信号をスタートユニット１０Ｂへ出力する。スタートユニット１０Ｂは、スタートセンサ１０Ｃからの通過検出信号を受信すると、ＩＤコード「２４」を含むスタート信号を音信号（電子音）により生成して、第１の無線機１０Ａのマイク端子へスタート信号を出力する。第１の無線機１０Ａは、マイク端子に入力するとスタート信号を電波で送信する。第３の無線機３０Ａは、第１の無線機１０Ａから無線送信されてくる音信号を受信すると、イヤホン端子から音信号をタイム表示ユニット３０Ｂへ出力する。タイム表示ユニット３０Ｂは、第３の無線機３０Ａのイヤホン端子から出力される音信号からスタート信号を識別すると、ＩＤコード「２４」を認識すると共にタイマーの作動を開始する。
【００２６】  ２４番の競技者がゴールを通過すると、ゴールセンサ２０Ｃは通過検出信号をゴールユニット２０Ｂへ出力する。ゴールユニット２０Ｂは、ゴールセンサ２０Ｃからの通過検出信号を受信すると、ゴール信号を音信号（電子音）により生成して、第２の無線機２０Ａのマイク端子へゴール信号を出力する。第２の無線機２０Ａは、マイク端子に入力するとゴール信号を電波で送信する。第３の無線機３０Ａは、第２の無線機２０Ａから無線送信されてくる音信号を受信すると、イヤホン端子から音信号をタイム表示ユニット３０Ｂへ出力する。タイム表示ユニット３０Ｂは、第３の無線機３０Ａのイヤホン端子から出力される音信号からゴール信号を識別するとタイマーの作動を停止する。タイム表示ユニット３０Ｂは、その時のタイマー時間をタイム計測時間として、記憶部にＩＤコードと共に記憶し、更にＩＤコード「２４」とタイム計測時間「１分１２秒５６」を、図４に示すように表示部に表示出力する。これにより、２４番の競技者は自分の滑走時間を知ることができる。
【００２７】  本発明のタイム測定システムにあっては、スタート地点の周辺に設置されるスタート部１０、ゴール地点の周辺に設置されるゴール部２０、タイム表示地点に設置されるタイム表示部３０のそれぞれに無線機を設けて無線式とすることで設置が容易で且つ設置の自由度も大きく、また機械的に自動でタイムの計測を行うため正確なタイムの測定ができる。また、無線機として、市販品のトランシーバーを接続して使用することが可能であることから、専用の無線装置が不要であり安価に構成できる。当然ながら接続を取り外すことで、トランシーバーとしての通常の使い方ができる。トランシーバーとして市販品の小電力トランシーバーを使用することで、免許取得をしなくとも使用可能である。したがって、少人数の練習でも競技大会でも使用可能である。
【符号の説明】
【００２８】１０  スタート部
２０  ゴール部
３０  タイム標示部
１０Ａ  第１の無線機
１０Ｂ  スタートユニット
１０Ｃ  スタートセンサ
２０Ａ  第２の無線機
２０Ｂ  ゴールユニット
２０Ｃ  ゴールセンサ
３０Ａ  第３の無線機
３０Ｂ  タイム表示ユニット
【図１】
2014036820.tif 000003
【図２】
2014036820.tif 000004
【図３】
2014036820.tif 000005
【図４】
2014036820.tif 000006
【図５】
2014036820.tif 000007
【図６】
2014036820.tif 000008
【図７】
2014036820.tif 000009